(57)【要約】      （修正有）【課題】本やファイルを収容するだけでなく、書類保管ロッカーや本棚、机の上などに立てた状態で収納されたファイルをしっかりと支えることができるファイルケース兼ファイル立てを提供する。【解決手段】矩形状の背板１１０と、当該背板１１０の両側面にコ字形状に連結される一対の側板１２０，１２０と、当該一対の側板１２０，１２０および背板１１０の底部に連結される底板１３０とを有し、側板１２０，１２０の高さを、収容されるファイルの高さとほぼ同じで、かつ、側板１２０，１２０間の距離を、ファイルの高さの２／１〜４／３とする。複数の本や書類、ファイルなどをまとめて収容するためのファイルケースとして兼用できるだけでなく、その側板１２０，１２０に外側から他のファイルの荷重がかかっても簡単に倒れたり移動することなくしっかりと他のファイルを支えることができる。【選択図】図１
0003192329.tif 000002
【実用新案登録請求の範囲】
【請求項１】
矩形状の背板と、当該背板の両側面にコ字形状に連結される一対の側板と、当該一対の側板の底部および前記背板の底部に連結される矩形状の底板とを有し、
前記側板の高さが、収容されるファイルの高さとほぼ同じで、かつ、前記側板間の距離が、前記ファイルの高さの１／２〜３／４であることを特徴とするファイルケース兼ファイル立て。
【請求項２】
請求項１に記載のファイルケース兼ファイル立てにおいて、
前記底板は、前記一対の側板の先端から前方に突き出す突出部を有することを特徴とするファイルケース兼ファイル立て。
【請求項３】
請求項１または２に記載のファイルケース兼ファイル立てにおいて、
前記底板の板厚が前記側板よりも薄くなっていることを特徴とするファイルケース兼ファイル立て。
【請求項４】
請求項１乃至３のいずれかに記載のファイルケース兼ファイル立てにおいて、
前記背板および底板の一方、または両方に把持部を有することを特徴とするファイルケース兼ファイル立て。
【考案の詳細な説明】
【技術分野】
【０００１】
本考案は、本や書類、ファイルなどを立てた状態で収容するためのファイルケース兼ファイル立てに係り、特に書類保管ロッカーや本棚、あるいは机の上などに置かれて用いられるファイルケース兼ファイル立てに関するものである。
【背景技術】
【０００２】
書類保管ロッカーや本棚に本や書類、ファイルなどを立てた状態で収納した際に、収納するファイルなどが少ないとそのファイルが倒れたり、斜めになってしまい、見栄えが悪い上にそのファイルの出し入れも面倒になる。そのため、従来ではファイルの収納に際して金属製のフックエンドやプラスチック製のファイルケースを併用することでファイルが倒れるのを防止している。
【０００３】
また、本考案者は、以下の特許文献１に示すように、棚板上に立て掛けられて収納された書類などから大きな荷重を受けても転倒したり、破損することのない本立てを提案している。
【先行技術文献】
【特許文献】
【０００４】
【特許文献１】実用新案登録第３１３４６６７号公報
【考案の概要】
【考案が解決しようとする課題】
【０００５】
ところで、従来の金属製のブックエンドは、その高さが低い上に軽量であるため、例えばＡ４サイズ以上の大型の本やファイルをしっかりと支えることが難しく、本やファイルの重みでずれたり、本やファイルと共に倒れてしまうことがある。
【０００６】
一方、市販のファイルケースとしては、プラスチックなどの軽量な材料で形成された、例えばＡ４サイズのファイルを５冊程度収容できるものがあるが、このような従来のファイルケースでは、書類保管ロッカーや本棚に収容した際に揺れなどが加わると収容したファイルと共に簡単に倒れてしまう。また、底部および四方が枠で覆われていることから、収容されたファイルの背表紙が隠れて見えにくい。また、その上部の開口部からファイルの出し入れが行われるため、ファイルの出し入れや並べ替え作業が容易でない。
【０００７】
また、前記特許文献１に示した本立ての場合は、本棚の附属品として本棚と共に使用されるものであるため、それ自体をファイルケースとして用いることはできない。
【０００８】
そこで、本考案はこれらの課題を解決するために案出されたものであり、その主な目的は、本やファイルを収容するだけでなく、書類保管ロッカーや本棚、机の上などに立てた状態で収納されたファイルをしっかりと支えることができる新規なファイルケース兼ファイル立てを提供するものである。
【課題を解決するための手段】
【０００９】
前記課題を解決するために第１の考案は、矩形状の背板と、当該背板の両側面にコ字形状に連結される一対の側板と、当該一対の側板の底部および前記背板の底部に連結される矩形状の底板とを有し、前記側板の高さが、収容されるファイルの高さとほぼ同じで、かつ、前記側板間の距離が、前記ファイルの高さの１／２〜３／４であることを特徴とするファイルケース兼ファイル立てである。
【００１０】
このような構成によれば、複数の本や書類、ファイルなどをまとめて収容するためのファイルケースとして兼用できるだけでなく、側板間の距離が、ファイルの高さの１／２以上であることから、その側板に外側から他のファイルの荷重がかかっても簡単に倒れたり移動することがなく、しっかりと他のファイルを支えることができる。また、その上部のみならず、前方も完全に開放した状態となっていることから、収容されたファイルの背表紙が見えやすくなり、また、ファイルの出し入れや並べ替え作業も極めて容易になる。
【００１１】
また、側板間の距離が、ファイルの高さの３／４以下であることから、１冊または数冊程度の少ないファイルを収容した際に、これが倒れても完全に横倒しになることがなく、例えば少なくとも４５°以上の角度を保った状態で収容することができる。これにより、ファイルが完全に倒れて見栄えが悪くなるのを阻止できると共に、ファイルの確認や取り出し作業も容易になる。
【００１２】
第２の考案は、第１の考案において、前記底板は、前記一対の側板の先端から前方に突き出す突出部を有することを特徴とするファイルケース兼ファイル立てである。これにより、ファイルを収容する際に突出部がガイドとなってファイルの下端が底板の先端に引っかかり難くなり、ファイルをスムーズに収容することができる。
【００１３】
第３の考案は、第１または第２の考案において、前記底板の板厚が前記側板よりも薄くなっていることを特徴とするファイルケース兼ファイル立てである。このような構成によれば、ファイルを収容する際にファイルの下端が底板の先端にさらに引っかかり難くなり、よりスムーズに収容することができる。
【００１４】
第４の考案は、第１乃至第３の考案において、前記背板および底板の一方、または両方に把持部を有することを特徴とするファイルケース兼ファイル立てである。このような構成によれば、利用者がこの把持部を把持することによってファイル立てを収容されたファイルと共に簡単に持ち運ぶことができる。
【考案の効果】
【００１５】
本考案によれば、複数の本や書類、ファイルなどをまとめて収容するためのファイルケースとして兼用できるだけでなく、その側板に外側から他のファイルの荷重がかかっても簡単に倒れたり移動することがないため、しっかりと他のファイルを支えることができる。また、その上部のみならず、前方も完全に開放した状態となっていることから、収容されたファイルの背表紙が見えやすくなり、また、ファイルの出し入れや並べ替え作業も極めて容易になる。
【図面の簡単な説明】
【００１６】
【図１】本考案に係るファイルケース兼ファイル立て１００の実施の一形態を示す斜視図である。
【図２】本考案に係るファイルケース兼ファイル立て１００の実施の一形態を示す側面図である。
【図３】本考案に係るファイルケース兼ファイル立て１００の実施の一形態を示す正面図である。
【図４】本考案に係るファイルケース兼ファイル立て１００にファイルＦを満杯に収容した状態を示す斜視図である。
【図５】本考案に係るファイルケース兼ファイル立て１００にファイルＦを数冊収容した状態を示す斜視図である。
【図６】本考案に係るファイルケース兼ファイル立て１００にファイルＦを１冊収容した状態を示す斜視図である。
【図７】本考案に係るファイルケース兼ファイル立て１００を壁際の机またはテーブル上に設置した例を示す概念図である。
【図８】本考案に係るファイルケース兼ファイル立て１００を机またはテーブル上に設置した例を示す概念図である。
【図９】本考案に係るファイルケース兼ファイル立て１００を書類保管ロッカーまたは本棚２００内に設置した例を示す概念図である。
【図１０】本考案に係るファイルケース兼ファイル立て１００の他の実施の形態を示す斜視図である。
【考案を実施するための形態】
【００１７】
次に、本考案の実施の形態を添付図面を参照しながら説明する。図１は本考案に係るファイルケース兼ファイル立て１００（以下、「ファイル立て１００」と称す）の実施の一形態を示したものである。図示するようにこのファイル立て１００は、箱形に形成されており、矩形状の背板１１０と、この背板１１０の両側面にコ字形状に連結される一対の側板１２０，１２０と、これら一対の側板１２０，１２０の底部および背板１１０の底部に連結される矩形状の底板１３０とから構成されている。
【００１８】
この背板１１０は、図２および図３に示すように、例えば板厚ｔ１が１０ｍｍ前後の縦長矩形状の合板からなっており、その高さＨおよび幅Ｗは、例えば市販のＡ４ファイルとほぼ同じ大きさである、３１０ｍｍ（Ｈ）×２４０ｍｍ（Ｗ）程度になっている。また、一対の側板１２０，１２０もこの背板１１０と同じく、例えば板厚が１０ｍｍ前後の縦長矩形状の合板からなっており、その高さＨおよび奥行きＤ１は、同じく例えば市販のＡ４ファイルとほぼ同じ大きさである、３１０ｍｍ（ｈ）×２４０ｍｍ（Ｗ）程度になっている。ここで、側板１２０，１２０の距離Ｗ１は、収容されるファイルＦの高さの高さの約１／２〜３／４となっている。従って、例えばファイルＦの高さが３１０ｍｍの場合、側板１２０，１２０間の距離Ｗ１は、１５０ｍｍ〜２４０ｍｍ程度となっている。
【００１９】
一方、底板１３０は、これら背板１１０および側板１２０，１２０の板厚ｔ１よりも薄い、例えば板厚ｔ２が３ｍｍ前後の縦長矩形状の合板からなっており、その幅Ｗは、背板１１０の幅Ｗと同じく、またその奥行きＤ２は、側板１２０，１２０の奥行きＤ１よりもやや長くなっている。そのため、図１および図２に示すようにこの底板１３０の先端部には、側板１２０，１２０の先端部（側縁部）から前方に突出するように突出部１３１が形成されている。この突出部１３１の突出量ｄは、特に限定するものでないが、例えば４０ｍｍ程度となっている。
【００２０】
そして、これら背板１１０、側板１２０，１２０、底板１３０は、その端面および周辺部同士が接着剤や釘、ボルト、あるいは締結バンドなどに連結されて箱状に組み合わされている。なお、これら背板１１０、側板１２０，１２０、底板１３０は、そのいずれかあるいは全てが木材以外の他の材料、例えばプラスチックや金属板で形成したものであっても良い。
【００２１】
このような構造をした本考案のファイル立て１００によれば、図４に示すように例えば、厚さ１８ｍｍ程度のＡ４サイズのファイルＦを立てた状態で最大１０冊前後まとめて収容することが可能となる。また、この側板１２０，１２０間の距離Ｗ１は、ファイルＦの高さの約１／２以上となっているため、外側から他のファイルＦの荷重がかかっても簡単に倒れたり移動することがなく抵抗できるため、ファイル立てとしてしっかりと他のファイルＦを支えることができる。
【００２２】
また、同図に示すように、このファイル立て１００は、背面および側面だけがそれぞれ覆われてその上部のみならず、前面も完全に開口している状態であることから、収容されたファイルＦの背表紙がよく見えるだけでなく、そのファイルＦの出し入れや並び替え作業が際めて容易にできる。
【００２３】
また、側板１２０，１２０の距離Ｗ１が、収容されるファイルＦの高さの約３／４以下となっているため、図５および図６に示すように、１冊または数冊程度の少ないファイルを収容した際に、これが倒れても完全に横倒しになることがなく、例えば少なくとも４５°以上の角度を保った状態で収容することができる。これにより、ファイルＦが完全に倒れて見栄えが悪くなるのを阻止できると共に、ファイルＦの確認や取り出し作業も容易になる。
【００２４】
また、底板１３０の先端を側板１２０の先端に突出部１３１を形成したことから、ファイルＦを収容する際にこの突出部１３１がガイドとなってファイルＦの下端が底板１３０の先端に引っかかり難くなり、ファイルＦをスムーズに収容することができる。さらに、この突出部１３１が形成された底板１３０の板厚を側板１２０よりも薄くしたことから、ファイルＦを収容する際にその下端がこの突出部１３１の先端にさらに引っかかり難くなり、よりスムーズに収容することができる。
【００２５】
図７および図８は、本考案に係るファイル立て１００を机やテーブルＴの上で利用した例を示したものである。図７に示すように、本考案に係るファイル立て１００を机やテーブルＴの上に置けば、ファイルケースとしてだけでなく、そのファイル立て１００と壁ｗとの間に本やファイルＦを挟めることで１つだけで安定したファイル立てまたは本立てとして利用することができる。また、図８に示すようにこのファイル立て１００を２つ１組で用い、その間に本やファイルＦを挟むようにすれば、場所や大きさに限定されることなく様々な場所で利用することができる。
【００２６】
図９は、本考案に係るファイル立て１００を書類保管ロッカーや本棚２００で利用した例を示したものである。本考案に係るファイル立て１００は、その高さＨや奥行きＤ１が収容するファイルＦの大きさとほぼ同じであるため、既存の書類保管ロッカーや本棚２００にファイルＦと共に収容することができる。そして、このファイル立て１００を書類保管ロッカーや本棚２００の棚板２１０上をスライド移動させることで書類保管ロッカーや本棚２００内に保管されたファイルＦを保持するためのファイル立て（本立て）として機能させることができる。
【００２７】
さらに、この書類保管ロッカーや本棚２００に保管された複数のファイルを別の場所に移動する際などには、このファイル立て１００内にそれらのファイルＦを入れてからそれを取り出し、運搬用のボックスやカゴとして利用することで複数のファイルＦをまとめて持ち運ぶことができる。
【００２８】
そして、このような運搬用ボックスとして利用する場合には、さらに図１０に示すように、背板１１０および底板１３０の一方、または両方に指をいれる把持用の穴１４０を形成すれば、利用者がこの把持穴１４０に指を入れることでファイル立て１００を、収容されたファイルＦと共に簡単に持ち運ぶことができる。
【００２９】
また、この側板１２０，１２０にも同様に把持用の穴１４０を形成しても良く、また、この把持用の穴１４０以外に溝構造やその他の滑り止め構造であっても良い。さらに、同図に示すように側板１２０，１２０の前側上部の角部を面取り加工しても良い。
【符号の説明】
【００３０】
１００…ファイルケース兼ファイル立て
１１０…背板
１２０…側板
１３０…底板
１３１…突出部
１４０…把持用の穴（把持部）
２００…書類保管ロッカーまたは本棚
２１０…棚板
Ｆ…ファイル
Ｔ…机またはテーブル
ｗ…壁
【図１】
0003192329.tif 000003
【図２】
0003192329.tif 000004
【図３】
0003192329.tif 000005
【図４】
0003192329.tif 000006
【図５】
0003192329.tif 000007
【図６】
0003192329.tif 000008
【図７】
0003192329.tif 000009
【図８】
0003192329.tif 000010
【図９】
0003192329.tif 000011
【図１０】
0003192329.tif 000012